(57)【要約】【課題】ドア枠と接続され、ドアに隣接して設けられるドア横の壁パネルが、縦桟を備えていない構成であっても、浴室内側方向または浴室外側方向にズレることを規制可能とする。手段を実現する。【解決手段】浴室の壁パネル６とドア枠２を連結材３で接続し、連結材３は、ドア枠２に固定するドア枠固定部１８と、壁パネル６に固定する壁パネル固定部１９と、を備え、壁パネル固定部１９は壁パネル６の折り返し部８に固定され、連結材３の下端部には略逆Π字状の切り欠き部が設けられており、切り欠き部は、浴室床１２の周縁部１３の立ち面１５が嵌って引っ掛け可能に構成されており、ドア枠固定部１９には、長手方向中央から左右均等な位置にドア枠接合用の長孔が設けられている。【選択図】図１
2020084617.tif 000002
【特許請求の範囲】
【請求項１】
浴室の壁パネルとドア枠を接続する連結材であって、連結材はドア枠固定部と壁パネル固定部を備えており、壁固定部は壁パネルの折返し部に固定されており、連結材の下端部には略Π字状の切り欠き部が設けられており、切り欠き部は床の立ち面に引っ掛け可能に構成されていることを特徴とする連結材。                                          
【請求項２】
請求項１に記載の連結材であって、ドア枠固定部には長手方向中央から上下方向に均等な位置にドア枠接合用の長孔が設けられており、切り欠き部は連結材の上下両端部に設けられていることを特徴とする連結材。
【発明の詳細な説明】
【技術分野】
【０００１】
本発明は、壁パネルとドア枠を接続する連結材に関するものである。
【背景技術】
【０００２】
従来、浴室の壁パネルとドア枠の連結構造について、いろいろな構成が知られている。例えば、バスルームの壁パネルとドア枠との連結部位を弾性を有するジョイナーを介してタッピンねじで固定することで、ジョイナーが弾性変形して壁パネル端面のフランジの形状に沿って固定させることができ、壁とドアとの連結の施工性の信頼性を高めるという壁とドアの連結構造が知られている（特許文献１参照）。
【０００３】
また、壁パネルの柱フレームへドア横パネルを介してドア枠に取り付けた壁とドアの連結構造が知られている（特許文献２参照）。
【０００４】
さらに、戸袋が浴室ユニットの出入口に隣接する壁パネルの前方に配置され、壁パネルに取り付けられた所定の高さに配置できるよう支持する支持具と鉛直方向と平行な姿勢となるように戸袋を矯正する連結具によって固定されている戸袋の取付構造が知られている（特許文献３参照）。
【先行技術文献】
【特許文献】
【０００５】
【特許文献１】特許第４８５８４５５号公報
【特許文献２】特許第３９９４３３６号公報
【特許文献３】特開２０１７−１７９８８５号公報
【発明の概要】
【発明が解決しようとする課題】
【０００６】
浴室の壁パネルは、浴室床の周縁部の壁載置部上に載置されて設置されるが、壁パネルに作用する力によって、浴室の内側方向または外側方向へズレてしまうことがある。特に、上記従来技術に挙げたドア枠に取り付けられるように、ドア横の壁パネルの場合は、ドアの開閉などにより、浴室の内側方向または外側方向への力が加わり易いので、壁パネルのズレに対して十分対策をとる必要がある。
【０００７】
そのようなズレを防止するために、いくつかのズレ止め手段が考えられる。このようなズレ止め手段は、壁パネルの構造、或いは隣接する壁パネルの接続構造等に応じて適宜の形状がある。ズレ止め手段について、以下、図６、図７および図８、図９にそれぞれ参考例を挙げて説明する。
【０００８】
図６に示す壁パネル４０は、その側端部に図６（ａ）〜（ｃ）、図７（ａ）に示すような縦桟４１が組み込まれている。この縦桟４１は、太幅部４２と細幅部４３から成る溝４４が形成されており、図示しないが、同様な縦桟を備えた隣接する他の壁パネルと接続する際に、連結材の突起が溝４４に挿入されて接続される。
【０００９】
このような壁パネル４０は、図７（ａ）、（ｂ）に示すように、浴室床１２の周縁部１３の載置部１４上に設置されるが、位置決めピース４５によって浴室の内側方向または外側方向にズレないように保持している。
【００１０】
位置決めピース４５は、浴室の内側方向と外側方向にそれぞれ対応する内側係合部４６と外側係合部４７を備えている。内側係合部４６は上方に向けて延びるように形成され、外側係合部４７は下方に向けて延びるように形成されている。
【００１１】
位置決めピース４５の内側係合部４６を、壁パネル４０の縦桟４１内に下方から挿入して係合し（図７（ａ）参照）、外側係合部４７を浴室床１２の周縁部１３の立ち面１５に引っ掛ける（図７（ｂ）参照）ことによって、壁パネル６を位置決めし、浴室の内側方向または外側方向にズレないように保持可能となる。
【００１２】
縦桟を備えていない二つの壁パネル５２、５３を接続する接続部６０を図９（ａ）、（ｂ）に示す。壁パネル５２、５３は、図８（ａ）、（ｂ）に示すように、それぞれ正面パネル部５４が側端において折り返された折り返し部５５を備え、その先端には折り返し当接部５６が形成されている。
【００１３】
二つの壁パネル５２、５３は、図９（ａ）に示すように、浴室床１２の周縁部１３の載置部１４上に載置され、壁パネル接続用連結材５７によって互いに接続される。連結材５７は、図８（ｃ）、（ｄ）に示す突起付き連結材５８と図８（ｅ）、（ｆ）に示す溝付き連結材５９から成る。
【００１４】
接続部６０の組立に際しては、連結材５７の突起付き連結材５８の突起６１を、溝付き連結材５９の溝６２に挿入した状態で溝６２内に沿って移動する。
【００１５】
すると、突起付き連結材５８と溝付き連結材５９が互いに寄せあうように移動し、突起付き連結材５８の折り返し壁６３と溝付き連結材５９の折り返し壁６４が、左右両側方からモール６５を介して、隣接する二つの壁パネル５２、５３の折り返し部５５、５５を押圧して互いに当接させて接続する。
【００１６】
このような縦桟を備えていない壁パネル５２、５３の場合は、壁パネルの接続部６０において、壁パネル５２、５３が浴室内または浴室外側方向にズレないように、位置決めピース７１で浴室床１２の周縁部１３に対して保持する。
【００１７】
位置決めピース７１は、その浴室の外側方向に設けたフック７２を浴室床１２の周縁部１３の立ち面１５に係合させ、その底部から上方に突出するように設けた係止部７３を連結材５９の浴室側に係合するような構成とすることで、壁パネル５２、５３が前後方向、即ち浴室内側方向または浴室外側方向にズレないように、浴室床１２の周縁部１３に対して保持することができる。
【００１８】
図６、図７に示す壁パネル４０と図８、図９に示す壁パネル５２、５３は、それぞれ位置決めピース４５、７１を用いることで、壁パネル４０、壁パネル５２、５３が前後、即ち浴室内側方向または浴室外側方向にズレることを防止できる。
【００１９】
しかしながら、図８と同じ縦桟の備えていない壁パネルであって、後記するが図１に示すように、浴室のドアと隣接し、ドア枠に取り付けられる壁パネル（「ドア横の壁パネル」とも言う）の場合は、図９に示すような隣接する壁パネルを連結部材で接続する接続部がないので、図９に示すような位置決めピース７１は適用できない。
【００２０】
本発明は、上記のように、縦桟の備えていない壁パネルであって、ドアと隣接し、ドア枠の取り付けられるドア横の壁パネルについて、浴室内側方向または浴室外側方向にズレることを規制する手段を実現することを課題とする。
【課題を解決するための手段】
【００２１】
本発明は上記課題を解決するために、浴室の壁パネルとドア枠を接続する連結材であって、連結材はドア枠固定部と壁パネル固定部を備えており、壁固定部は壁パネルの折返し部に固定されており、連結材の下端部には略Π字状の切り欠き部が設けられており、切り欠き部は床の立ち面に引っ掛け可能に構成されていることを特徴とする連結材を提供する。
【００２２】
ドア枠固定部には長手方向中央から上下方向に均等な位置にドア枠接合用の長孔が設けられており、切り欠き部は連結材の上下両端部に設けられていることが好ましい。
【発明の効果】
【００２３】
本発明に係る浴室の壁パネルとドア枠を接続する連結材は、ドア枠固定部と壁パネル固定部を備えており、壁パネル固定部は壁パネルの折り返し部に固定されており、連結材の下端部に略Π字状の切り欠き部が設けられており、切り欠き部は床の立ち面に引っ掛け可能に構成されているので、連結材で壁の前後方向の規制が可能となる。 
【図面の簡単な説明】
【００２４】
【図１】（ａ）は本発明に係る壁パネルとドア枠を接続する連結材が適用される浴室を示す斜視図であり、（ｂ）は本発明の実施例を説明する図であり、連結材によって壁パネルとドア枠を接続した状態を示す水平断面図およびその要部Ｂを示す拡大図である。
【図２】（ａ）はドア横の壁パネルのドア付近の収まりを示す斜視図であり、（ｂ）は（ａ）の要部の水平断面図である。
【図３】（ａ）は、図１（ａ）の要部Ａの拡大図であり、（ｂ）は本発明の実施例の連結材によって、壁パネルとドア枠を接続した部分の拡大図である。
【図４】本発明の実施例を説明する図であり、（ａ）は連結材の斜視図であり、（ｂ）は連結材の平面図であり、（ｃ）は連結材を壁パネルに取り付けた状態を示す水平断面図である。
【図５】本発明の実施例の連結材を壁パネルに取り付けた状態を示す斜視図であり、（ａ）は斜視図であり、（ｂ）は側方から見た図である。
【図６】課題を説明するためのズレ止め手段の参考例を示す図であり、（ａ）および（ｂ）は壁パネルを浴室外側方向から見た背面図および斜視図であり、（ｃ）は縦桟の背面図である。
【図７】図６に示す壁パネルを浴室の周縁部に位置決めピースで位置決めした状態を示す図であり、（ａ）は上方から見た図であり、（ｂ）は斜視図である。
【図８】課題を説明するためのズレ止め手段の別の参考例を示す図であり、（ａ）および（ｂ）は、壁パネルを浴室外側方向から見た背面図および平面図であり、（ｃ）、（ｄ）は壁パネル用の溝付き連結材であり（ｃ）は正面側から見た図であり、（ｄ）は背面側から見た図と平面図であり、（ｅ）、（ｆ）は壁パネル用の連結材の溝付き連結材であり、（ｅ）は正面側から見た図であり、（ｆ）は背面側から見た図と平面図である。
【図９】図８に示す二枚の壁パネルを壁パネル用の連結材で接続し、位置決めピースで浴室の周縁部に取り付けた状態を示す図であり、（ａ）は水平断面図であり、（ｂ）は浴室外側から見た斜視図である。
【発明を実施するための形態】
【００２５】
本発明に係る壁パネルとドア枠を接続する連結材を実施するための形態を実施例に基づき図面を参照して、以下説明する。
【実施例】
【００２６】
本発明に係る壁パネルとドア枠を接続する連結材の実施例を、図１〜図５を参照して説明する。図１（ａ）に示すような浴室の出入口１にドア枠２が取り付けられ、そのドア枠２の内側にドア（図示せず）が開閉可能に設けられる。本発明の連結材３は、ドア枠２に隣接するドア横の壁パネル６の側端部７（図２（ａ）参照）に接続する部材である。
【００２７】
本実施例のドア横の壁パネル６は、図８（ａ）、（ｂ）に示す壁パネル５２、５３と同じ構成であり、側端部７に折り返し部８を備え、その先端には折り返し当接部９が形成されており、下端には下端折り返し部１１が形成されている。この壁パネル６は、ドアの横の位置に、図２（ａ）、（ｂ）に示すように、浴室床１２の周縁部１３の載置部１４上に、パッキン２９（図５（ｂ）参照）を介して載置されている。
【００２８】
浴室床１２の周縁部１３は、載置部１４の浴室外側の縁に沿って、上方に突出した立ち面１５が形成されている。載置部１４上に載置された壁パネル６に、図１（ｂ）、図３（ｂ）に示すように、連結材３を介してドア枠２が接続される。
【００２９】
連結材３は、図４（ａ）、（ｂ）に示すように、上下方向に長細い部材から成り、ドア枠固定部１８と壁パネル固定部１９を備えている。
【００３０】
ドア枠固定部１８は、平面視で直線状の平板状の部分であり、連結材３の長手方向中央から上下方向に左右均等な位置に、それぞれドア枠接合用のビス３３をネジ込みするための長孔２０が複数設けられている。図４（ａ）では、連結材３の長手方向中央から上下方向に左右均等な位置のうち、下方に設けられた複数の長孔２０（本実施例では３つ）が示されている。
【００３１】
連結材３のドア枠固定部１８の下端部には、図４（ａ）に示すように、下方に向けて開口した略Π字状（又は逆凹字状）の切り欠き部２１が設けられている。この切り欠き部２１に、図５（ａ）、（ｂ）に示すように、浴室床１２の周縁部１３の立ち面１５が嵌合することで、切り欠き部２１は、立ち面１５に引っ掛け可能な構成とされている。
【００３２】
なお、切り欠き部２１は、連結材３のドア枠固定部１８の下端部だけでなく、図示はしないが、上端部にも略逆Π字状（又は凹字状）に形成して設ける構成としてもよい。
【００３３】
壁パネル固定部１９は、壁パネル６の折り返し部８と当接する固接部２３と、壁パネル６の正面パネル部１０の背面に当接する壁当接部２４と、を備えている。固接部２３は、図４（ｂ）に示すように、ドア枠固定部１８の浴室側の側端部から浴室側に向けて平面視で略への字状曲げられて形成された部分である。壁当接部２４は、固接部２３から直角に折り曲げられた部分である。
【００３４】
壁パネル６に接続されるドア枠２の接続側端には、枠板２７が設けられている。この枠板２７は、側方に突き出すような取付部２８を備えている。このドア枠２の取付部２８は、図１（ｂ）に示すように、水平断面が口字状に形成されている。
【００３５】
（壁パネルとドア枠の接続する組立工程および接続構造）
以上の構成から成る連結材３によって、浴室の壁パネル６とドア枠２を接続する組立工程、および壁パネル６とドア枠２の接続構造３４（図１（ｂ）参照）について、以下説明する。
【００３６】
ここでは、ドア横の壁パネル６は、図２（ａ）、（ｂ）に示すように、浴室床１２の周縁部１３の載置部１４上に、パッキン２９（図５（ｂ）参照）を介して載置されているものとする。
【００３７】
組立てするには、まず、連結材３の壁パネル固定部１９における壁当接部２４を、図４（ｃ）に示すように、壁パネル６の正面パネル部１０の背面に当接し、固接部２３を壁パネル６の折り返し部８に当接させた状態とする。また、連結材３の下端は、壁パネル６の下端折り返し部１１に載置される。
【００３８】
このようにして、連結材３を側端部７に対して配置した状態で、ビス３２によって、図４（ｃ）に示すように、固接部２３を壁パネル６の折り返し部８に固定する。これによって、連結材３を、図４（ｃ）、図５（ａ）、（ｂ）に示すように、壁パネル６に固定する。
【００３９】
次に、壁パネル６を浴室１２における周縁部１３に載置し、図５（ａ）、（ｂ）に示すように、切り欠き部２１は、床の立ち面１５が嵌るように床の立ち面１５に引っ掛けた状態とする。さらに、ドア枠２を連結材３の側方から近接して、図１（ｂ）に示すように、ビス３３を、ドア枠２の枠板２７から取付部２８を通して連結材３の長孔２０内にネジ込み、連結材３のドア枠固定部１８にドア枠２の取付部２８を固定する。
【００４０】
以上の組立工程を通して、図１（ｂ）、図３（ａ）、（ｂ）に示すように、浴室の壁パネル６とドア枠２が接続され、壁パネル６とドア枠２の接続構造３４の組立が完了する。
【００４１】
この壁パネル６とドア枠２の接続構造３４では、図３（ｂ）に示すように、連結材３の切り欠き部２１を、浴室床１２の周縁部１３の立ち面１５に引っ掛けた状態となっているので、壁パネル６に、浴室内側方向または浴室外側方向への力が作用しても、壁パネル６は、浴室床１２に対して前後方向、即ち室内方向または浴室外側方向への移動は規制され、ズレが防止される。
【００４２】
なお、前記のとおり、切り欠き部２１を、連結材３の下端部だけでなく上端部にも設けて、壁パネル６の上端が対面する天井面に立ち面１５に対応して下方に向けて設けた突条面（図示せず）に引っ掛けるようにすれば、壁パネル６の上部の前後方向のずれも防止可能となり、よりズレ止め効果が上がる。
【００４３】
以上、本発明に係る浴室の壁パネルとドア枠を接続する連結材を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４４】
本発明に係る浴室の壁パネルとドア枠を接続する連結材は上記のような構成であるから、浴室の壁パネルとドア枠を接続構造だけでなく、建屋における他の室の壁パネルとドア枠の接続構造等にも適用可能である。
【符号の説明】
【００４５】
１  浴室の出入口                                 
２  ドア枠                                       
３  連結材
６  壁パネル                                     
７  壁パネルの側端部                             
８  壁パネルの折り返し部                         
９  壁パネルの折り返し当接部
１０  壁パネルの正面パネル部
１１  壁パネルの下端折り返し部
１２  浴室床                                     
１３  周縁部                                     
１４  周縁部の載置部                             
１５  周縁部の立ち面 
１８  連結材のドア枠固定部                               
１９  連結材の壁パネル固定部                             
２０  連結材の長孔                               
２１  連結材の切り欠き部                         
２３  連結材の固接部                             
２４  連結材の壁当接部                                   
２７  ドア枠の枠板                               
２８  枠板の取付部                               
２９  パッキン                                   
３２、３３  ビス                                 
３４  壁パネルとドア枠の接続構造 
４０  壁パネル                                   
４１  縦桟                                       
４２  溝の太幅部                                 
４３  溝の細幅部                                 
４４  溝                                         
４５  位置決めピース                             
４６  内側係合部                                 
４７  外側係合部
５２、５３  壁パネル                             
５４  正面パネル部                               
５５  壁パネルの折り返し部                       
５６  壁パネルの折り返し当接部
５７  壁パネル接続用連結材                       
５８  突起付き連結材                             
５９  溝付き連結材                               
６０  壁パネルの接続部                           
６１  突起付き連結材の突起                       
６２  溝付き連結材の溝                           
６３  突起付き連結材の折り返し壁                 
６４  溝付き連結材の折り返し壁
６５  モール                                     
７１  位置決めピース                             
７２  フック                                     
７３  係止部                                     
【図１】
2020084617.tif 000003
【図２】
2020084617.tif 000004
【図３】
2020084617.tif 000005
【図４】
2020084617.tif 000006
【図５】
2020084617.tif 000007
【図６】
2020084617.tif 000008
【図７】
2020084617.tif 000009
【図８】
2020084617.tif 000010
【図９】
2020084617.tif 000011